(57)【特許請求の範囲】
【請求項１】
消費財のための容器であって、
箱を含むハウジングであって、該箱が、箱後壁、箱上壁、第１の箱側壁、及び第２の箱側壁を含み、該第１の箱側壁及び該第２の箱側壁の各々が、細長いスリットを含み、該２つの細長いスリットが、互いに実質的に平行であり、該ハウジングが、蓋を更に含み、該蓋が、該箱後壁を横切って延びるヒンジ線にわたって該箱にヒンジ式に接続されたハウジングと、
前記箱側壁の前記細長いスリットに前記蓋が閉じている第１の位置と該蓋が開いている第２の位置との間のそれに沿った移動のために装着された第１のスライド要素であって、前記蓋が、蓋フラップを含み、
前記第１のスライド要素は、第１のスライド要素側壁、該第１のスライド要素側壁に対向する第２のスライド要素側壁、及びスライド要素後壁を含み、前記第１のスライド要素はさらに、前記第１のスライド要素側壁の縁部及び前記第２のスライド要素側壁の縁部からそれぞれ延びる一対の保持タブを含み、該保持タブはそれぞれ、細長いスリットを通して前記箱側壁内に挿入され、
前記蓋フラップが、該蓋フラップと該スライド要素の係合が該蓋を開くことができるように該スライド要素と前記箱の間に配置され、該蓋フラップが、該スライド要素の該第１の位置から該第２の位置への移動中に該スライド要素と係合することができる第１のスライド要素と、
を含むことを特徴とする容器。
【請求項２】
前記スライド要素の前記第１の位置は、前記２つの細長いスリットの一端によって定められ、該スライド要素の前記第２の位置は、該細長いスリットの反対端によって定められることを特徴とする請求項１に記載の容器。
【請求項３】
前記スライド要素は、その内面に対して折り畳まれて、該スライド要素が前記第１の位置から前記第２の位置まで移動する時に前記ハウジングの前記蓋フラップと係合可能である開口フラップを含むことを特徴とする請求項１から請求項２のいずれか１項に記載の容器。
【請求項４】
前記箱は、前記後壁に対向する前壁を更に含み、
前記ハウジングは、前記箱前壁にわたって延びる第２のヒンジ線に関してピボット回転可能な第２の蓋を更に含み、
容器が、前記箱側壁の前記２つの細長いスリット又は別々の細長いスリット内に、前記第２の蓋が閉じている第１の位置と該第２の蓋が開いている第２の位置の間のそれに沿った移動のために装着された第２のスライド要素を更に含む、
ことを特徴とする請求項１から請求項３のいずれか１項に記載の容器。
【請求項５】
前記スライド要素は、前記箱側壁に平行に配置された第１の側壁及び第２の側壁を含み、
前記スライド要素は、該スライド要素の各側壁から垂れる保持タブを更に含み、
前記保持タブは、それぞれの前記細長いスリットを通して約１８０度だけ折り畳まれ、かつ前記箱側壁の内側に当接して置かれる、
ことを特徴とする請求項１から請求項４のいずれか１項に記載の容器。
【請求項６】
消費財のための容器であって、
箱を含むハウジングであって、該箱が、箱後壁、箱上壁、第１の箱側壁、及び第２の箱側壁を含み、該第１の箱側壁及び該第２の箱側壁の各々が、細長いスリットを含み、該２つの細長いスリットが、互いに実質的に平行であり、該ハウジングが、蓋を更に含み、該蓋が、該箱後壁を横切って延びるヒンジ線にわたって該箱にヒンジ式に接続されたハウジングと、
前記箱側壁の前記細長いスリットに前記蓋が閉じている第１の位置と該蓋が開いている第２の位置との間のそれに沿った移動のために装着された第１のスライド要素であって、前記蓋が、蓋フラップを含み、
該蓋フラップが、該蓋フラップと該スライド要素の係合が該蓋を開くことができるように該スライド要素と前記箱の間に配置され、該蓋フラップが、該スライド要素の該第１の位置から該第２の位置への移動中に該スライド要素と係合することができる第１のスライド要素と、
を含み、
前記箱は、前記後壁に対向する前壁を更に含み、
前記ハウジングは、前記箱前壁にわたって延びる第２のヒンジ線に関してピボット回転可能な第２の蓋を更に含み、
容器が、前記箱側壁の前記２つの細長いスリット又は別々の細長いスリット内に、前記第２の蓋が閉じている第１の位置と該第２の蓋が開いている第２の位置の間のそれに沿った移動のために装着された第２のスライド要素を更に含む、
ことを特徴とする容器。
【発明の詳細な説明】
【技術分野】
【０００１】
本発明は、スライド要素を含む消費財のためのヒンジ蓋容器に関する。本発明の容器は、細長い喫煙物品のための容器として特定用途を見出す。
【背景技術】
【０００２】
細長い喫煙物品及び他の消費財を折り畳まれた薄層ブランク材から形成した容器に包装することは公知である。例えば、シガレット及びシガーのような細長い喫煙物品は、一般的に、喫煙物品を収容するための箱と、容器の後壁にわたって延びるヒンジ線の周りに箱に接続された蓋とを有するヒンジ蓋パックに入れて販売される。そのようなパックは、典型的には、単体の薄層厚紙ブランク材から構成される。使用において、蓋がヒンジ線の周りでピボット回転してパックを開き、従って、箱に保持された喫煙物品へのアクセスが得られる。
【０００３】
ヒンジ蓋の有無に関わらずスライド及びシェル容器も公知である。例えば、ＵＳ−Ａ−３  ８５８  ７８８及びＵＳ−Ａ−３  ９３３  ２９９は、外側シェル内にヒンジ蓋が収容された内側スライドを含むヒンジ蓋容器を説明している。外側シェルは、内側スライドを取り囲むスリーブの形態を有する。外側シェル及び内側スライドが互いに対して移動する時に、蓋は、開くか又は閉じることができる。これらの特許公開では、蓋は、蓋の外側にフラップを含み、それが、外側シェルが下向き方向に移動する時に外側シェルの内面上でフラップと係合する。フラップは、外側シェルによって下向きに引っ張られ、それによって蓋が開く。これらのパックでは、消費者は、片方の手で箱を保持して別の手でスライド要素を移動させるか、又はスライド要素を移動させながら箱を剛性面に対して支える必要がある。
【先行技術文献】
【特許文献】
【０００４】
【特許文献１】ＵＳ−Ａ−３  ８５８  ７８８
【特許文献２】ＵＳ−Ａ−３  ９３３  ２９９
【特許文献３】ＵＳ−Ａ−４，７１４，０８２
【特許文献４】ＵＳ−Ａ−５，６９２，５２５
【発明の概要】
【発明が解決しようとする課題】
【０００５】
消費者が容器内の消費財にアクセスするための新しい方法を提供するスライド要素を有するヒンジ蓋容器を提供することが望ましいと考えられる。
【課題を解決するための手段】
【０００６】
本発明により、箱及び蓋を有するハウジングとスライド要素とを含む消費財のための容器を提供する。箱は、箱後壁、箱上壁、第１の箱側壁、及び第２の箱側壁を含む。第１の箱側壁及び第２の箱側壁の各々は、細長いスリットを含む。２つの細長いスリットは、実質的に平行である。蓋は、箱後壁にわたって延びるヒンジ線に沿って箱にヒンジ式に接続される。スライド要素は、箱側壁の細長いスリットに蓋が閉じている第１の位置と蓋が開いている第２の位置の間のそれに沿った移動のために装着される。蓋は、蓋フラップを含む。蓋フラップは、蓋フラップとスライド要素が係合して蓋を開くことができるように箱とスライド要素の間に配置される。蓋フラップは、スライド要素が第１の位置から第２の位置まで移動中にスライド要素と係合することができる。
【０００７】
本発明による容器では、ハウジング内の細長いスリット内にスライド要素を装着することにより、ハウジングに対してスライド要素の移動を制限する有効な方法を提供する。有利な態様では、これは、スライド要素が容器上の所定位置に確実に保持され、不注意で容器から取り除くことができないことを保証する。
【０００８】
更に、スライド要素は、スライド要素が細長いスリットに装着される結果として容器の所定位置に保持されるので、ハウジングの一部だけを覆うに過ぎない。有利な態様では、従来技術のスライド及びシェル容器と比較して、本発明による容器を作るのにより少ない材料しか必要とされない。更に、従来技術のスライド及びシェル容器と比較して、本発明による容器では、ハウジングの大部分の区画は、それがスライド要素によって遮られないことになるので消費者情報のために利用可能である。
【０００９】
有利な態様では、本発明による容器は、１つの指を使用して第１の位置と第２の位置の間で移動可能であるスライド要素を含むことができる。従って、そのような場合、片手だけを使用して容器を開くことができる。
【００１０】
スライド要素は、あらゆる適切な手段又は方法を使用して２つの細長いスリットに装着することができる。例えば、スライド要素は、少なくとも１つのスリットを通して反対側のハウジングの内側にスライド要素の保持タブを挿入することにより、２つの細長いスリットに装着することができ、そのためにスライド要素のこの保持タブは、スリットを通って逆に戻ってくることができない。好ましくは、スライド要素は、細長いスリットを通して挿入され、箱側壁の内面に対してスライド要素の方向に折り返された２つの保持タブを含む。ハウジングに喫煙物品の束のような消費財が満たされると、保持タブは、好ましくは、スライド要素の内面と消費財の外面の間に置かれる。
【００１１】
好ましくは、２つの細長いスリットの端部は、スライド要素の第１の位置と第２の位置を決める。第１の位置では、スライド要素は、従って、２つの細長いスリットの一方の端部に位置決めされるが、第２の位置では、スライド要素は、２つの細長いスリットの反対の端部に位置決めされる。この配置により、スライド要素の第１又は第２の位置への移動が特に簡単になる。
【００１２】
本発明による容器の構成要素の相対位置を説明するのに使用される用語「前部」、「後部」、「上側」、「下側」、「側部」、「上部」、「底部」、及び他の用語は、蓋が上端にあり、かつヒンジが後部上にある直立位置の容器を意味する。本発明による容器を説明する時に、説明される容器の向きに無関係にこれらの用語が使用される。
【００１３】
用語「左側」と「右側」は、容器が直立した位置にあり、容器が前部から見られた時に容器の側壁に関して使用される。用語「縦方向」は、底部から上部への又はその反対の方向を意味する。用語「横方向」は、縦方向と垂直な方向を意味する。
【００１４】
同様に、用語「上向き」及び「下向き」は、容器が直立した位置にある時に本発明による容器のハウジングに対するスライド要素の移動を説明するのに使用される。
【００１５】
用語「ヒンジ線」は、容器を開くためにその周りで蓋がピボット回転することができる線を意味する。ヒンジ線は、例えば、容器の後壁を形成するパネル内の折り畳み線又は切り込み線とすることができる。代替的に、ヒンジ線は、蓋又はハッチの壁を箱の対応する壁に接続する材料部分の折り畳み線又は切り込み線とすることができる。そのような材料部分は、蓋の後壁及び／又は箱の後壁に恒久的に又は取外し可能に取り付けられた例えばラベルとすることができる。
【００１６】
好ましくは、２つの細長いスリットは、垂直に配置され、かつ容器の縦方向縁部と平行である。
【００１７】
本発明の特に好ましい実施形態では、第１の位置では、スライド要素は、垂直で細長いスリットの上端に位置決めされるが、第２の位置では、スライド要素は、その下端に位置決めされる。従って、そのような実施形態では、スライド要素は、容器を開くために下向き方向に移動され、容器を閉じるために上向き方向に移動される。
【００１８】
本発明による容器のハウジングの蓋は、ハウジングの後壁にわたって延びるヒンジ線の周りでピボット回転可能とすることができる。蓋は、ハウジングの上側部分全体か、又は単にその一部分とすることができる。例えば、特に好ましい実施形態では、蓋は、ハウジングの上側コーナを形成し、かつその後壁にわたって延びるヒンジ線の周りでピボット回転可能である。
【００１９】
本発明による容器のハウジングは、容器内に提供される喫煙物品又は他の消費財を収容する。本発明のある一定の実施形態では、ハウジングは、蓋が閉じている時に、そこに収容された消費財を完全に封入することができる。本発明の代替的な実施形態では、ハウジングは、ハウジングが消費財を単に部分的に封入するようにその前側が少なくとも部分的に開いている。そのような実施形態では、容器は、好ましくは、ハウジングのあらゆる開放側面を覆う外側スリーブを更に含む。外側スリーブは、好ましくは、スライド要素及びヒンジ蓋の移動が邪魔されないようにハウジングを単に部分的に封入する。
【００２０】
好ましくは、容器は、スライド要素が第１の位置と第２の位置の間で移動する時にハウジングとスライド要素の間の摩擦を増すように少なくとも１つの摩擦要素を更に含む。摩擦要素は、消費者によって正方向の力が加えられるまでスライド要素が所定位置に留まることを保証する。有利な態様では、従って、使用と使用の間に不注意で容器が開く危険性が減少する。
【００２１】
少なくとも１つの摩擦要素に対して代替的に又は追加的に、容器を閉じた状態又は開いた状態に維持するための適切な保持手段を提供することができる。例えば、保持手段は、１つ又はそれよりも多くの磁石と、Ｖｅｌｃｒｏ（登録商標）ストリップと、低粘着性接着剤と、スライド要素、ハウジング、又はスライド要素及びハウジングの両方上のエンボス又はデボス区域とを含むことができる。
【００２２】
好ましくは、スライド要素の少なくとも１つの壁は、内側パネルと外側パネルを含む。内側パネルは、例えば、外側パネルの縁部から延びて外側パネルの内面に接着された１つ又はそれよりも多くのタブから形成することができる。内側パネルは、スライド要素を強化し、かつ使用中のスライド要素の移動の結果として起こる場合があるスライド要素の縁部上の摩耗を低減することもできる。更に、内側パネルを内向きに折り畳むことにより、印刷することができる可視外縁を作り出すことができる。これは、容器外面上の可視切断縁部を回避する。
【００２３】
本発明による容器のある一定の実施形態では、箱は、更に、箱後壁の反対側の前壁を含む。更に、ハウジングは、箱前壁にわたって延びる第２のヒンジ線の周りでピボット回転可能な第２の蓋を更に含む。容器は、更に、箱側壁内の細長いスリットに装着された第２のスライド要素を第２の蓋が閉じている第１の位置と第２の蓋が開いている第２の間のそれに沿った移動のために含む。
【００２４】
第１及び第２のスライド要素を含む本発明による容器では、第１のスライド要素は、第２のスライド要素と同じ細長いスリットに装着することができる。代替的に、第１のスライド要素は、第２のスライド要素が装着される１つ又はそれよりも多くのスライド要素とは異なる細長いスリットに装着することができる。
【００２５】
本発明による容器の第１及び第２の蓋は、それぞれ、第１及び第２のスライド要素をハウジングに対して移動させることによって互いに独立に開閉することができる。ハウジング内の喫煙物品又は他の消費財は、従って、第１の蓋を開くか又は第２の蓋を開くかのいずれかによってアクセスすることができる。
【００２６】
２つの蓋を含む本発明による容器は、必要に応じて、２つの異なる種類の消費財を収容することができ、従って、第１の種類は、第１の蓋を通じてアクセス可能であり、第２の種類は、第２の蓋を通じてアクセス可能である。例えば、ハウジングは、喫煙物品の２つの別々の束を収容することができ、一方の束に収容される喫煙物品は、第２の束に収容される喫煙物品と同じか又は異なる場合がある。この配置は、必要に応じて、一方の束を他方の束が空になるまで包んだままとすることができる利点を有する。
【００２７】
本発明の容器は、以下に限定されるものではないが、厚紙、板紙、プラスチック、金属、又はその組合せを含むあらゆる適切な材料から形成することができる。容器が厚紙から形成される場合、好ましくは、厚紙は、平方メートル当たり約１００ｇと平方メートル当たり約３５０ｇの間の重さを有する。
【００２８】
好ましくは、スライド要素は、個々のブランク材からハウジングを形成するのに使用される１つ又はそれよりも多くのブランク材までのブランク材で形成される。ハウジング及びスライド要素を形成するためのブランク材は、同じか又は異なる材料から作ることができる。必要に応じて、スライド要素は、少なくとも部分的に、実質的に透明な材料から形成することができる。好ましくは、容器は、１つ又はそれよりも多くの折り畳まれた薄層ブランク材から形成され、より好ましくは、１つ又はそれよりも多くの折り畳まれた薄層厚紙ブランク材から形成される。
【００２９】
本発明による容器は、直角縦方向及び直角横方向縁部を含む直方体の形状とすることができる。代替的に、容器は、１つ又はそれよりも多くの丸形縦方向縁部、丸形横方向縁部、傾斜付き縦方向縁部、又は傾斜付き横方向縁部、又はその組合せを含むことができる。例えば、本発明による容器は、以下に限定されるものではないが、前壁上の１つ又は２つの縦方向丸形又は傾斜付き縁部及び／又は後壁上の１つ又は２つの縦方向丸形又は傾斜付き縁部と、前壁上の１つ又は２つの横方向丸形又は傾斜付き縁部及び／又は後壁上の１つ又は２つの横方向丸形又は傾斜付き縁部と、前壁上の１つの縦方向丸形縁部及び１つの縦方向傾斜付き縁部及び／又は後壁上の１つの横方向丸形縁部及び１つの横方向傾斜付き縁部と、前壁上の１つ又は２つの横方向丸形又は傾斜付き縁部及び前壁上の１つ又は２つの縦方向丸形又は傾斜付き縁部と、第１の側壁上の２つの縦方向丸形又は傾斜付き縁部又は第２の側壁上の２つの横方向丸形又は傾斜付き縁部とを含むことができる。
【００３０】
容器が１つ又はそれよりも多くの丸形縁部を含み、それが薄層ブランク材から作られる場合、好ましくは、ブランク材は、組み立てられた容器内に各丸形縁部を形成するために３つ、４つ、５つ、６つ、又は７つの切り込み線又は折り曲げ線を含む。切り込み線又は折り曲げ線は、容器の内側又は容器の外側のいずれかとすることができる。好ましくは、切り込み線又は折り曲げ線は、約０．３ｍｍと４ｍｍの間だけ互いに離間している。
【００３１】
好ましくは、折り曲げ線又は切り込み線の間隔は、薄層ブランク材の厚みの関数である。好ましくは、折り曲げ線又は切り込み線の間の間隔は、薄層ブランク材の厚みの約０．５と約４倍の間である。
【００３２】
容器が１つ又はそれよりも多くの傾斜付き縁部を含む場合、好ましくは、傾斜付き縁部は、約１ｍｍと約１０ｍｍの間、好ましくは、約２ｍｍと約６ｍｍの間の幅を有する。代替的に、容器は、２つの別々の傾斜付き面が容器の縁部上に形成されるように離間した３つの平行な折り曲げ又は切り込み線によって形成された２重傾斜面を含むことができる。
【００３３】
代替的に、容器は、例えば、三角形又は六角形のような多角形、又は長円形、半長円形、円形、又は半円形の非矩形横断面を有することができる。
【００３４】
容器が１つ又はそれよりも多くの傾斜付き縁部を含み、それが薄層ブランク材から作られる場合、傾斜付き面は、薄層ブランク材の２つの平行な折り曲げ線又は切り込み線によって形成することができる。折り曲げ線又は切り込み線は、第１の壁と第２の壁の間の縁部に対して対称に配置することができる。代替的に、折り曲げ線又は切り込み線は、傾斜付き面が容器の第２の壁の中よりも容器の第１の壁の中に深く到達するように、第１の壁と第２の壁の間の縁部に対して非対称に配置することができる。
【００３５】
本発明による容器は、様々な消費財のためのパッケージとして使用することができる。特に好ましい実施形態では、本発明による容器は、喫煙物品を包装するのに使用される。本発明による容器は、以下に限定されるものではないが、従来型着火端部シガレット、シガー、又はシガリロ、可燃性燃料要素又は熱源及びエーロゾル発生基体を含む加熱式喫煙物品（例えば、ＵＳ−Ａ−４，７１４，０８２に開示する種類のシガレット）、及び電気式喫煙システムと共に使用するための喫煙物品（例えば、ＵＳ−Ａ−５，６９２，５２５に開示する種類のシガレット）を含む喫煙物品を包装するので有利に使用することができる。
【００３６】
本発明による容器は、その寸法の適切な選択を通して、異なる総数の喫煙物品又は異なる配置の喫煙物品を保持するように設計することができる。例えば、その寸法の適切な選択を通して、本発明による容器は、総数が１０と３０の間の喫煙物品を保持するように設計することができる。
【００３７】
本発明による容器は、２つ、３つ、４つ、又は５つの別々の束の消費財を保持することができる。別々の束は、前壁に対して及び後壁に対して実質的に平行に、又は前壁に対して及び後壁に対して実質的に垂直に配置することができる。
【００３８】
喫煙物品は、喫煙物品の総数、喫煙物品の寸法、又は容器の断面形状次第で異なる丁合の束に配置することができる。例えば、喫煙物品は、５、６、７、８、９、又は１０の１つの列の束に配置することができる。代替的に、喫煙物品は、２つ又はそれよりも多くの列に配置することができる。２つ又はそれよりも多くの列は、同数の喫煙物品を収容することができる。例えば、喫煙物品は、５、６、７、８、９、又は１０の２列に、６、７、８、９、又は１０の３列に、又は４、５、又は６の４列に配置することができる。代替的に、２つ又はそれよりも多くの列は、互いに対して異なる数の喫煙物品を収容する少なくとも２つの列を含むことができる。例えば、喫煙物品は、５の列と６の列（５−６）、６の列と７の列（６−７）、７の列と８の列（７−８）、５の真ん中の列と６の外側２列（６−５−６）、５の真ん中の列と７の外側２列（７−５−７）、６の真ん中の列と５の外側２列（５−６−５）、６の真ん中の列と７の外側２列（７−６−７）、７の真ん中の列と６の外側２列（６−７−６）、９の真ん中の列と８の外側２列（８−９−８）、又は６の真ん中の列と５の外側１列及び７の外側１列（５−６−７）に配置することができる。
【００３９】
本発明による容器は、同じ種類又は銘柄又は異なる種類又は銘柄の喫煙物品を保持することができる。更に、長さが異なる喫煙物品（例えば、約４０ｍｍと約１８０ｍｍの間）、直径が異なる喫煙物品（例えば、約４ｍｍと約９ｍｍの間）ばかりでなく、フィルタなし喫煙物品及び様々なフィルタチップを含む喫煙物品の両方を収容することができる。更に、喫煙物品は、風味の強度、吸引抵抗、及び全粒子物質送出量が異なる場合がある。容器が１つよりも多くの束を含む場合、同一容器内の各束は、上に列挙したように同じか又は異なる種類の喫煙物品を保持することができる。
【００４０】
好ましくは、容器の寸法は、喫煙物品の長さ及び喫煙物品の丁合に適応させることができる。典型的には、外法容器の寸法は、約０．５ｍｍから約５ｍｍの間であり、容器内に収容された喫煙物品の束の寸法よりも大きい。
【００４１】
好ましくは、本発明による容器は、約６０ｍｍと約１５０ｍｍの間の高さ、より好ましくは、約７０ｍｍと約１２５ｍｍの間の高さを有し、高さは、容器の上壁から底壁まで測定される。
【００４２】
好ましくは、本発明による容器は、約１２ｍｍと約１５０ｍｍの間の幅、より好ましくは、約７０ｍｍと約１２５ｍｍの間の幅を有し、幅は、容器の第１の側壁から第２の側壁まで測定される。
【００４３】
好ましくは、本発明による容器は、約６ｍｍと約１００ｍｍの間の深さ、より好ましくは、約１２ｍｍと約２５ｍｍの間の深さを有し、深さは、容器（箱と蓋の間にヒンジを含む）の前壁から後壁まで測定される。
【００４４】
好ましくは、容器の深さに対する容器の高さの比率は、約０．３対１と約１０対１の間、より好ましくは、約２対１と約８対１の間、最も好ましくは、約３対１と５対１の間である。
【００４５】
好ましくは、容器の深さに対する容器の幅の比率は、約０．３対１と約１０対１の間、より好ましくは、約２対１と約８対１の間、最も好ましくは、約２対１と３対１の間である。
【００４６】
好ましくは、箱後壁の高さに対する蓋後壁の高さの比率は、約０対１（ヒンジが容器の上縁に設けられる）から約１対１の間、より好ましくは、約１対５と約１対１０の間、最も好ましくは、約１対６から約１対８の間である。
【００４７】
好ましくは、箱前壁の高さに対する蓋前壁の高さの比率は、約１対１０（蓋が全前壁を覆う）から約１対１０の間、より好ましくは、約１対１と約１対５の間、最も好ましくは、約１対２と約１対３の間である。
【００４８】
本発明による容器の外面は、製造業者又は銘柄ロゴ、商標、スローガン、及び他の消費者情報及び印しを用いて印刷、エンボス、デボス、又はその他の方法で装飾することができる。代替的に又は追加的に、本発明による容器の外面は、ラッカー、金属化、ホログラム、蛍光性材料、又は容器の触感、香り、又は外観を変えるいずれかの他の材料を用いて少なくとも部分的に覆うことができる。
【００４９】
本発明による容器の内側ハウジングが１つ又はそれよりも多くの喫煙物品の束を収容する場合、喫煙物品は、好ましくは、例えば、金属箔又は金属化紙の内側ライナに包まれる。
【００５０】
容器が喫煙物品を含む場合、容器は、更に、廃棄物仕切り（例えば、灰又は吸い殻のための）、又は他の消費財、例えば、マッチ、ライター、消火手段、呼気フレッシュナを含むことができる。他の消費財は、容器の外側に取り付けるか、喫煙物品と共に容器の個別の仕切りに容器内に収容するか、又はその組合せとすることができる。
【００５１】
本発明による容器の箱がシガレット又は他の細長い喫煙物品の束を収容する場合、喫煙物品は、好ましくは、例えば、金属箔又は金属化紙の内側ライナに包まれる。
【００５２】
充填された状態で、本発明による容器は、例えば、ポリエチレン又はポリプロピレンの透明ポリマーフィルムを用いて従来の方法で収縮包装又はその他の方法で上包装することができる。本発明による容器が上包装される場合、上包装紙は、開封テープを含むことができる。
【００５３】
添付図面を参照して本発明を単に一例として以下に説明する。
【図面の簡単な説明】
【００５４】
【図１】第１の閉じた位置における本発明の第１の実施形態による容器の斜視図である。
【図２】第２の開いた位置における本発明の第１の実施形態による容器の斜視図である。
【図３】図１及び図２の容器の分解組立図である。
【図４ａ】ブランク材が正確な縮尺で描かれていない図１から３の容器のハウジングの内側部分を形成するための薄層ブランク材を示す図である。
【図４ｂ】ブランク材が正確な縮尺で描かれていない図１から３の容器のハウジングの外側部分を形成するための薄層ブランク材を示す図である。
【図４ｃ】ブランク材が正確な縮尺で描かれていない図１から３の容器のスライド要素を示す図である。
【図５】開いた位置における本発明の第２の実施形態による容器の斜視図である。
【発明を実施するための形態】
【００５５】
図１から３で使用された参照番号は、図４ａ、ｂ、ｃで使用されるものに対応し、従って、ブランク材５０、６０、７０の各パネルは、組み立てられた容器２においてそのパネルによって形成された壁、フラップ、又はタブを参照するのに使用された参照番号を用いてラベル付けされており、また、その逆も同様である。
【００５６】
図１から３に示す容器２は、形状が直方体であり、ハウジング４及びスライド要素６を含む。ハウジング４は、シガレット９の束８を収容する。図３の破断図で最も明確に見られるように、ハウジング４は、包まれた束８の周囲の内側スリーブ１２で形成される。容器は、更に、内側スリーブ１２と束８の周囲に外側スリーブ１０を含む。
【００５７】
外側スリーブ１０は、第１の外側スリーブ側壁１４、第２の外側スリーブ側壁１５、外側スリーブ後壁２０、外側スリーブ上壁１６、外側スリーブ底壁１９、及び外側スリーブ前壁１８を含む。スリーブ前壁１８は、容器２と実質的に長さが同じであるのに対して、外側スリーブ後壁２０は、容器２の長さの約５分の１の長さを有する。外側スリーブ１０は、外側スリーブ上壁１６、外側スリーブ側壁１４、及び外側スリーブ後壁２０にわたって延びる内側スリーブ１２の区画を覆わない。欠けている区画は、スライド要素６の移動を可能にする十分な空間を提供するためである。
【００５８】
内側スリーブ１２は、箱２１と蓋２８を含む。箱２１は、第１の箱側壁２２、第１の箱側壁２２に対向する第２の箱側壁２４、上壁２６、底壁２３、及び後壁２５を含む。内側スリーブ１２の箱前部側面は、容器２の組み立て中に包まれた束８の挿入が可能になるように開放している。
【００５９】
箱第１側壁２２及び箱第２側壁２４の各々は、実質的に垂直な細長いスリット３０又は切り欠き部を含む。細長いスリット３０は、長さと幅が実質的に互いに同じであり、かつ実質的に互いに対向している。
【００６０】
内側スリーブ１２は、更に、蓋２８を含む。蓋２８は、折り畳み線３７にわたって箱後壁２５にヒンジ止めされ、箱後壁３５、蓋上壁３１、及び２つの蓋側壁３３を含む。蓋は、蓋後壁３５の上縁からヒンジ線３７の位置を超えて下方に延びる付加的な蓋フラップ４５（図１から３には見えない）を含む。蓋フラップ４５は、第１の蓋フラップパネル３９、第２の蓋フラップパネル３２、及び開口タブ３４を含む。蓋フラップパネル３９は、蓋上壁３１の後縁に接続される。第２の蓋フラップパネル３２は、その周りでヒンジ蓋２８がピボット回転可能である箱後壁２０内のヒンジ線３７とほぼ同じ位置の折り曲げ線にわたって第１の蓋スラップパネル３９から垂れる。第２の蓋フラップパネル３２の他方の端部にあるのは、その外側に向けて約１８０度だけ上方に折り畳まれた開口タブ３４である。蓋フラップ４５の目的は、以下に詳細に説明する。
【００６１】
スライダー６は、第１のスライダー側壁３６、第１のスライダー側壁３６に対向する第２のスライダー側壁４３、及びスライダー後壁４１を含む。スライダー６の長さは、内側スリーブ１２内の細長いスリット３０の長さの約３分の２である。図３から分るように、スライダー６の各々は、第１のスライダー側壁３６と第２のスライダー側壁３８との縁部から延びる１対の付加的な保持タブ４０を含む。保持タブ４０の各々は、スライダー６の内面に向けて内向きに約１８０度折り畳まれる。容器２の組み立て中に、保持タブ４０は、それぞれ、細長いスリット３０を通して外側スリーブ１２の箱側壁２２、２４内に挿入される。保持タブ４０は、従って、外側スリーブ１２と包まれた束の間に置かれる。
【００６２】
第１のスライダー側壁３６及び第２のスライダー側壁３８は、それぞれ、内側パネル４３及び外側パネル３６、３８から構成される。内側パネル４３の各々は、外側パネル３６、３８の対向する上縁及び下縁から延びる１対のタブから形成され、かつ外側パネル３６、３８の内面に接着される。
【００６３】
容器２が組み立てられた状態で、スライダー６は、細長いスリット３０内で図１に示す第１の閉じた位置と図２に示す第２の開いた位置の間を移動可能である。閉じた位置及び開いた位置は、１対の細長いスリット３０の上端及び下端の位置によって判断される。
【００６４】
閉じた位置では、スライダー６は、細長いスリット３０内でできるだけ遠くまで上向きに移動されている。図１に示すように、スライダー６が閉じた位置にある時に、それは、箱後壁２０内でヒンジ蓋２８とヒンジ線３７の上に重なり、そのためにヒンジ蓋２８は、ヒンジ線３７の周りでピボット回転できない。スライダー６の上縁は、外側スリーブ１０の上縁と実質的に同じレベルにある。
【００６５】
反対に、開いた位置では、スライダー６は、スリット３０内でできるだけ遠くまで下向きに移動されている。図２に示すように、スライダー６が開いた位置にある時に、その上縁は、スライダー６がヒンジ蓋２８の開放を妨げないように箱後壁２０内でヒンジ線３７の下に位置決めされる。
【００６６】
スライダー６は、スライダー後壁４１の上縁から延びてスライダー６の内面に向けて約１８０度内向きに折り畳まれる開口タブ４２を含む。容器２が組み立てられた状態で、スライダー６の開口タブ４２は、スライダー後壁４１と蓋後壁３５の間に位置する。
【００６７】
使用において、スライダー６がその閉じた位置から下向き方向に移動すると、スライダーの開口タブ４２は、蓋フラップ４５の開口タブ３４と係合する。蓋フラップ４５は、それが図２に示す開いた位置まで移動する時にスライダー６によって下向きに引っ張られる。蓋フラップ４５がヒンジ蓋２８に接続されているので、蓋フラップ４５の下向きの移動が原因で内側スリーブ１２のヒンジ蓋２８が開かれる。ヒンジ蓋の外向きのピボット回転を可能にするために、蓋フラップ４５は、スライダー６が開いた位置に向けて移動する時に、蓋フラップパネル３９と第２の蓋フラップパネル３２との間で折り曲げ線に関して曲がる。スライダー６が更に下向きに移動すればするほど、蓋フラップ４５がヒンジ線３７に関して更に曲がり、その閉じた位置からのヒンジ蓋２８の角度が更に大きくなる。
【００６８】
図４ａは、外側スリーブ１０が作られるブランク材５０を示している。図４ｂは、内側スリーブ１２が作られるブランク材６０を示している。図４ｃは、スライダー６が作られるブランク材７０を示している。ブランク材５０、６０，７０は、全て薄層厚紙から作られ、折り曲げ線が破線によって表示されている。
【００６９】
容器２を形成するために、内側スリーブ１２及びスライダー６は、最初に、それぞれ図４ｂ及び４ｃに示すように薄層ブランク材６０、７０から形成される。次に、保持タブ４０を１８０度だけ折り曲げ、かつそれらを細長いスリット３０を通して挿入することにより、スライダーが細長いスリット３０内に装着される。包まれた束８が、次に、内側スリーブ１２内に挿入される。最後に、外側スリーブ１０が、図４ａに示すように薄層ブランク材５０から内側スリーブ１２及び包まれた束８の周りに形成される。
【００７０】
図５に示す容器１００は、直方体形状であり、かつハウジング１０４、第１のスライド要素１０６、及び第２のスライド要素１０６’を含む。ハウジング１０４は、２つの隣接する束を収容する。図１から３に示して上述した容器２と同様に、ハウジング１０４は、束１０８の回りの内側スリーブ１１２と、内側スリーブ１１２及び束１０８の回りの外側スリーブ１１０とで形成される。
【００７１】
外側スリーブ１１０は、前壁、前壁と対向する後壁、下部壁、左側壁、及び右側壁を含む。前壁及び後壁は、形状が矩形である。容器１００が組み立てられると、外側スリーブは、内側スリーブ１１２の下側だけを包含し、容器１０２の長さ全体の３分の１よりも少なく延びている。
【００７２】
内側スリーブ１１２の構成は、上述のように、第１のヒンジ蓋（隠れている）及び第２のヒンジ蓋１２８’を提供するために内側スリーブ１１２の上側コーナが両方とも切断されている以外は、容器２の内側スリーブ１２のものとほぼ類似である。第１及び第２（１２８’）のヒンジ蓋は、それぞれ、内側スリーブ１１２の前壁及び後壁にわたって延びる対向する折り曲げ線に関して互いに対して反対方向にピボット回転可能である。容器２の蓋フラップ３２と同一構成の蓋フラップは、内側スリーブ１１２の前壁及び後壁の各々の上縁から延びている。
【００７３】
左及び右スライダー１０６、１０６’は、両方とも、容器２のスライダー６と同一構成であり、内側スリーブ内の１対の対向する細長いスリット１３０内に同じ方法で装着される。スライダー１０６の各々はまた、容器２の単一スライダー６と同じように機能する。
【００７４】
ヒンジ蓋の各々は、開いた位置と閉じた位置の間で対応するスライダー１０６、１０６’を移動させることにより、他方と独立に開閉することができる。図５は、ヒンジ蓋が閉じて第２のヒンジ蓋１２８’が開いている容器１００を示している。
【符号の説明】
【００７５】
２  消費財のための容器
４  ハウジング
６  第１のスライド要素
１０  外側スリーブ
１２  内側スリーブ
【図１】
0005715963.tif 000002
【図２】
0005715963.tif 000003
【図３】
0005715963.tif 000004
【図４ａ】
0005715963.tif 000005
【図４ｂ】
0005715963.tif 000006
【図４ｃ】
0005715963.tif 000007
【図５】
0005715963.tif 000008